(57)【特許請求の範囲】
【請求項１】
モジュール面（２）にわたって分散された複数のＬＥＤ（３）を有する少なくとも１つのモジュール（１）を含む照明装置であって、
前記モジュール（１）の長手方向（Ｌ）には複数のＬＥＤが１つの列（Ｒ）に配置されており、
前記長手方向（Ｌ）に対して垂直な、前記モジュール（１）の横方向（Ｗ）に、複数の前記列（Ｒ）が並んで配置されており、
前記照明装置には、前記ＬＥＤから放射される光を集束するための１次光学系（５）が含まれており、
前記照明装置には、前記ＬＥＤから放射される前記光を集束するための２次光学系（８）が含まれており、該２次光学系（８）は、前記モジュール（１）から空間的に離間して前記光のビーム路に配置されており、
前記２次光学系（８）には、１つの平面内に並んで配置され、前記長手方向に延在する、少なくとも１つの第１の円柱レンズ（９）および少なくとも１つの第２の円柱レンズ（９）が含まれており、
複数の前記列（Ｒ）のうちの第１の列にある複数の前記ＬＥＤ（３）の少なくとも一部のＬＥＤの前記光が、前記第１の円柱レンズ（９）により、目標面上の１つのラインに集束され、かつ、前記列（Ｒ）のうちの第２の列にある複数の前記ＬＥＤ（３）のうちの少なくとも一部のＬＥＤの前記光が、前記第２の円柱レンズ（９）により、前記ラインに集束され、
複数の前記ＬＥＤからなる前記列（Ｒ）の、前記長手方向（Ｌ）に延在しかつ前記モジュール面（２）に対して垂直な中心面（３ａ）と、該中心面に対して平行な、前記列の前記光を集束する円柱レンズ（９）の光学的な中心面（９ａ）とは、前記ラインと一致する中心面（Ｚ）を基準にして互いにずれ（Ｖ１＋Ｖ２）を有し、該ずれ（Ｖ１＋Ｖ２）は、各前記列（Ｒ）が前記中心面（Ｚ）から離れているほど大きい、
ことを特徴とする照明装置。
【請求項２】
請求項１に記載の照明装置において、
当該１次光学系には、前記ＬＥＤ上に直接配置される複数のレンズ（６）が含まれている、
ことを特徴とする照明装置。
【請求項３】
請求項１または２に記載の照明装置において、
前記１次光学系（５）には複数の反射器（１１）が含まれており、
該反射器は、前記ＬＥＤ（３）の側面に隣接して配置されている、
ことを特徴とする照明装置。
【請求項４】
請求項１から３までのいずれか１項に記載の照明装置において、
前記１次光学系（５）は、前記モジュール（１）上に載置される透明のポリマ層として形成されており、
当該ポリマ層は、少なくとも複数のＬＥＤ（３）を一体的に覆う、
ことを特徴とする照明装置。
【請求項５】
請求項１から４までのいずれか１項に記載の照明装置において、
前記２次光学系（８）は、透明基板（１０）上の透明のポリマ層として形成されている、
ことを特徴とする照明装置。
【請求項６】
請求項１から５までのいずれか１項に記載の照明装置において、
前記円柱レンズ（９）の前記平面は、前記モジュール面（２）に対して相対的に、および／または、前記目標面に対して相対的に傾けられている、
ことを特徴とする照明装置。
【請求項７】
請求項１から６までのいずれか１項に記載の照明装置において、
前記長手方向（Ｌ）における前記ＬＥＤの実装密度は、前記横方向（Ｗ）における実装密度よりも高い、
ことを特徴とする照明装置。
【請求項８】
請求項１から７までのいずれか１項に記載の照明装置を含むことを特徴とする、コーティングを乾燥するための装置。
【請求項９】
請求項８に記載の装置において、
乾燥すべきコーティングを有する平坦な基板と前記照明装置とは、前記基板の搬送方向に互いに運動可能であり、
前記照明装置は、前記基板の横断方向に少なくとも部分的に前記基板の幅にわたって延在しており、かつ、所定の間隔で前記基板上に配置されている、
ことを特徴とする装置。
【請求項１０】
請求項１から７までのいずれか１項に記載の照明装置の使用方法において、
印刷法におけるコーティングの乾燥に使用する、
ことを特徴とする使用方法。
【発明の詳細な説明】
【技術分野】
【０００１】
本発明は、モジュール面にわたって分散された複数のＬＥＤを有する少なくとも１つのモジュールを含む照明装置に関しており、このモジュールの長手方向には複数のＬＥＤが１つの列に配置されており、上記の長手方向に対して垂直な、モジュールの横方向に、上記の複数の列が並んで配置されており、上記のＬＥＤ照明装置には、ＬＥＤから放射される光を集束するための光学系が含まれている。
【０００２】
WO 2012/031703 A1には、チップオンボードモジュール用の製造方法が記載されており、ここでは複数のＬＥＤを有するプレート状の支持体が基板に含まれており、この基板の表面には、オープンモールドにおいてこれを覆うように、光学系を形成するための層が設けられている。
【０００３】
本発明の課題は、定められた構造において均一な照度を達成することができるＬＥＤ照明装置を提供することである。
【０００４】
この課題は、モジュール面にわたって分散された複数のＬＥＤを有する少なくとも１つのモジュールを含む照明装置によって解決され、
このモジュールの長手方向には複数のＬＥＤが１つの列に配置されており、
上記の長手方向に対して垂直な、モジュールの横方向に、複数の上記の列が並んで配置されており、
上記のＬＥＤ照明装置には、これらのＬＥＤから放射される光を集束するための光学系が含まれており、
この光学系には、長手方向に延在する少なくとも１つの第１の円柱レンズが含まれており、
上記の複数の列のうちの第１の列にある複数のＬＥＤのうちの少なくとも一部のＬＥＤの光は、上記の第１の円柱レンズにより、目標面上の１つのラインに集束される。
【０００５】
少なくとも複数のＬＥＤにわたって延在する円柱レンズを使用することにより、効率的かつ少ない部材で、個々のＬＥＤの光を均一に集束することができる。
【０００６】
本発明においてモジュールとは、複数のＬＥＤの位置固定の任意の配置構成のことである。上記のモジュール面とは、全ＬＥＤを接続する面のことである。このモジュール面は、本発明において湾曲を有することも可能であり、例えば、横方向のドラム缶状の湾曲を有することも可能である。しかしながらこのモジュール面は有利には平坦である。
【０００７】
上記のモジュールは一般的に有利には、集積されたチップオンボード（ＣＯＢ＝Chip On Board）モジュールとして構成されるが、必ずしもそうでなくてもよい。ここでは、ＬＥＤおよび場合によって存在する別の電子部材は、平坦な支持体上に配置される。
【０００８】
極めて一般的にいえば、本発明による照明装置は、殊に長手方向に任意の長さで延在することが可能である。横方向における長さはもっぱら、上記の目標面上のラインの個数、出力および輝度についての要求に依存する。横方向における長さについては、必要な長さに応じて、複数のモジュールを直に相前後して配置することができる。このことは、場合によっては使用される光学系にも同様に当てはまる。
【０００９】
一般的に有利な本発明の実施形態において、上記の光学系には、上記の長手方向に延在する少なくとも１つの第２の円柱レンズが含まれており、上記の複数の列のうちの第２の列にある複数のＬＥＤのうちの少なくとも一部のＬＥＤの光は、第２の円柱レンズにより、目標面上の１つのラインに集束される。これにより、モジュールの複数のＬＥＤからなる複数の列を集束することができ、上記の光の１つずつの大きなビーム角を上記の横方向にも捕捉して伝送することができる。
【００１０】
有利ではあるが、必ずしもそうでなくもよい詳細な実施形態において、第１の円柱レンズおよび第２の円柱レンズは、上記の光を目標面上の同じラインに集束する。これにより、この目標面において殊に大きな輝度が得られる。このラインに沿った光の強度の均一性は、容易にさらに改善することでき、これは、例えば、２つの列の複数のＬＥＤを上記の長手方向に互いにずらして配置することによって行われる。これとは択一的にまたはこれに補足的に、集束側の光学系の手段によって均一性をさらに最適化することができる。
【００１１】
本発明の有利な実施例において、上記の光学系には、放射された光を集束するための１次光学系が含まれており、この１次光学系には、上記のＬＥＤ上に直接配置される複数のレンズが含まれている。このような１次光学系により、ＬＥＤによって多くの場合に大きな角度で放射される光の、殊に大きな立体角を伝送することができる。例えば、この１次光学系は、それぞれ１つのＬＥＤ上に配置される複数の集束レンズとすることができる。基本的には上記の円柱レンズも１次光学系の構成部材とし、複数のＬＥＤ上に直接配置することも可能である。
【００１２】
集束レンズまたは円柱レンズとは択一的またはこれに補足して上記の１次光学系は複数の反射器を含むことも可能である。これらの反射器は、ＬＥＤの直横に配置されており、伝送される光の有効立体角領域をさらに改善する。上記の反射器は、例えば、１つずつのＬＥＤに割り当てられる回転対称の反射器とすることが可能である。
【００１３】
有利な発展形態において、上記の１次光学系は、モジュール上に載置される透明のポリマ層として形成されており、このポリマ層は、少なくとも複数のＬＥＤを一体的に覆う。このようなポリマ層は、例えばWO 2012/031703 A1に記載されたタイプの光学系にしたがって構成することが可能である。この際にはＬＥＤモジュールは、オープンモールドにより、ＵＶ耐性のシリコーンによって覆われる。
【００１４】
１次光学系の有利な発展形態において、上記のＬＥＤ上に配置されるレンズは、ＬＥＤの中心に対し、上記の横方向に、側方のずれを伴って位置決めされている。これにより、上記の目標面のラインが、上記の列のＬＥＤの幾何学的な放射方向にない場合に、横方向の大きなビーム角を良好に集束することができる。したがって有利な発展形態では、例えば、上記のＬＥＤ列が横方向に上記のラインから遠くに離れるほど、上記のずれを大きくすることができる。殊に幾何学的な放射方向が上記のラインに交わる中央のＬＥＤ列が存在することができ、この列の１つまたは複数のレンズはずれを有しない。
【００１５】
上記のＬＥＤから放射される光の少なくとも５０％は有利には、４７０ｎｍよりも短い波長領域にある。これにより、上記の照明装置を少なくとも主にＵＶ放射器として設計可能である。本発明による上記の特徴をさらに組み合わせることにより、このＵＶ放射器をフレキシブルに技術的な装置に、例えば印刷装置に組み込むことができる。
【００１６】
これとは択一的に上記のＬＥＤから放射される光の少なくとも５０％は、７８０ｎｍよりも長い波長領域にある。これにより、上記の照明装置を少なくとも主に赤外放射器として設計可能である。本発明による上記の特徴をさらに組み合わせることにより、この赤外放射器をフレキシブルに技術的な装置に、例えば印刷装置に組み込むことができる。
【００１７】
本発明の殊に有利な実施形態において上記の光学系には２次光学系が含まれており、この２次光学系は、モジュールから空間的に離間して上記の光のビーム路に配置されている。１次光学系の概念と区別するため、本発明において２次光学系とは一般的に、上記のＬＥＤに直に載置されていない光学系のことである。したがって２次光学系を含むが、１次光学系を含まないかまたはその逆である実施形態も考えられる。殊に有利な実施形態では、１次光学系も２次光学系も共に上記の照明装置のビーム路に配置され、これによって大きくかつ均一な放射照度で、極めて小型の設計が得られる。
【００１８】
有利かつ詳細な実施形態において上記の２次光学系は、透明基板上の透明のポリマ層として形成される。この２次光学系は、WO 2012/031703 A1に記載されたタイプの光学系にしたがって作製することができ、ここではＬＥＤモジュールの代わりに透明基板、例えばガラスが、オープンモールドにより、ＵＶ耐性のシリコーンで覆われる。
【００１９】
殊に有利かつ詳細な実施形態では、上記の円柱レンズが２次光学系に形成され、これによってＬＥＤから放射される光の上記のラインへの均一な集束が殊に効率的に行われる。ここで殊に有利には２次光学系は、１つの平面内に並んで配置される複数の円柱レンズを含み得る。これにより、円柱レンズはそれぞれ、上記の複数のＬＥＤからなる複数の列のうちの１つの列の光を集束し、または並んで配置されている複数の列の光も集束するため、合わせると多数のＬＥＤ列が上記の照明装置の全体輝度に寄与することができる。殊に種々異なる円柱レンズにより、上記のＬＥＤの光をそれぞれ同じラインに集束することができる。
【００２０】
本発明の考えられ得る実施形態において、上記の円柱レンズの平面は、モジュール面に対して相対的に、および／または目標面に対して相対的に傾けられている。これにより、上記のラインと、モジュールの位置との間の横方向のずれを簡単に補償することができる。したがって、例えば、横方向において上記のラインのどらちの側にもモジュールを設けることができ、これらのモジュールは、２次光学系に対してそれぞれ逆に設定された傾斜方向で立てかけられ、これによって上記のラインへの殊に効率的な集束が可能になる。目標面に対して２次光学系を傾けて配置することも、または上記のモジュールおよび２次光学系も傾けて配置することも可能である。
【００２１】
本発明の別の実施形態では、上記のＬＥＤからなる列の中心面と、これに対して平行な、上記の列の光を集束する円柱レンズの光学的な中心面とは、横方向に互いにずれを有する。これによっても、大きなビーム角を上記のラインに簡単かつ効率的に集束することができ、殊に上記のラインが、ＬＥＤの中心面に対して横方向にずれて配置される場合に簡単かつ効率に集束することができる。さらなる最適化においては、上記のラインとＬＥＤ列とが横方向にどのくらいの離れているかに応じて、上記のＬＥＤの異なる列に対し、対応する円柱レンズの上記のずれの大きさを変えることができる。
【００２２】
一般的に有利には、ＬＥＤの長手方向における実装密度が、横方向における実装密度はよりも高くなるようにする。横方向における低い実装密度は、最適化された本発明による伝送光学系によって補償することができるため、全体として少ないＬＥＤにより、同じ輝度を目標面上に得ることができる。例えば、上記のモジュールはＣＯＢモジュールとすることが可能であり、この際には長手方向における実装密度は最大である。この実装密度は、このようなモジュールの技術的なアセンブリの可能性によって整然と制限される。長手方向の最大の実装密度は同時に、上記のライン上での輝度分布の均一性に対して最適である。の横方向の実装密度は、上記の長手方向における実装密度の、例えば８０％の実装密度しか有さず、有利には６０％未満である。
【００２３】
本発明の上記の課題はさらに、本発明による照明装置を含むコーティング乾燥装置によって解決される。本発明による照明装置は、このために殊に好適である。なぜならばこの照明装置により、高い放射照度と、フレキシブルかつ殊に小型の設計とが組み合わされるからである。
【００２４】
有利な発展形態では、乾燥すべきコーティングを有する平坦な基板と照明装置とは搬送方向に互いに運動可能であり、照明装置は、横断方向に少なくとも部分的に上記の基板の幅にわたって延在しており、かつ、所定の間隔で基板上に配置される。このことは、基板面をラスタ状に複数のコースにおいて移動することとも理解される。例えば、基板は印刷製品とすることが可能であり、この印刷製品は、印刷機械において、プリントされる塗料または別の物質によってコーティングされる。
【００２５】
本発明の上記の課題はさらに、有利には印刷法においてコーティングを乾燥させるために本発明による照明装置を使用することによって解決される。
【００２６】
本発明の別の利点および特徴は、以下で説明する実施例ならびに添付の特許請求の範囲に記載されている。
【００２７】
以下では、本発明の複数の有利な実施形態を示し、添付の図面に基づいて詳しく説明する。
【図面の簡単な説明】
【００２８】
【図１】本発明による照明装置の第１実施例の概略図である。
【図２】図１に示した照明装置のＬＥＤモジュールに含まれる複数のＬＥＤの概略配置構成を示す図である。
【図３】図１の照明装置の長手方向断面図である。
【図４】図１の照明装置の変形実施形態を示す図である。
【図５】本発明の第２実施例を示す図である。
【図６】本発明の第３実施例を示す図である。
【図７】本発明の第４実施例を示す図である。
【００２９】
図１に示した本発明による照明装置には、それぞれ複数のＬＥＤ３を有するＬＥＤモジュール１が含まれており、これらのＬＥＤは、図の面に対して垂直に延びるモジュール面２にわたってラスタ状に分散されている。ＬＥＤ３は、（図示しない）別の電子部材と共に平坦な支持体４上に取り付けられており、これによって全体としてチップオンボード（ＣＯＢ  Chip-On-Board）モジュールが形成されている。モジュール１は、図１において図の面に対して垂直に延在する長手方向Ｌおよび図１において左から右に延びる横方向Ｗに延在している。ＬＥＤ３の幾何学的な主放射方向Ｈは、上記の長手方向Ｌおよび横方向Ｗに対して垂直に延在している。
【００３０】
ラスタ状に配置されたＬＥＤ３は、上記の長手方向の列Ｒ内で延在しており、この列においてＬＥＤは、第１の繰り返し間隔ａを有する。上記の横方向において複数の列Ｒは互いに平行であり、繰り返し間隔ｂを有する。ここではＬＥＤの約１０個の列Ｒが互いに並んで配置されているが、図面にはそのすべては示されていない。
【００３１】
上記の繰り返し間隔ａ，ｂの逆数により、各方向におけるＬＥＤの実装密度が定められる。本発明では、間隔ａは、細部の構成に応じて２ｍｍ〜５ｍｍであり、ＬＥＤは、約１ｍｍ2のオーダの放射面積を有する。間隔ｂは一般的に５ｍｍと１０ｍｍとの間であり、間隔ａのおよそ２倍である。これによれば、横方向Ｗにおける実装密度は、長手方向Ｌにおける実装密度の約半分である。
【００３２】
殊に長手方向には、しかしながら必要であれば横方向にも、照明装置のサイズの要求に応じてそれぞれ複数のモジュール１を相前後して配置することができる。有利にこれらの連続するモジュールには、ＬＥＤの間隔が同じになるかないしはモジュール境界領域において放射される光の分布が可能な限りに変化しないように、ＬＥＤ３が取り付けられるかないしは上記の連続するモジュールは相前後して配置される。
【００３３】
モジュール１上には１次光学系５が配置されており、この１次光学系は、ここではモジュール１の全面を覆うコーティングとして構成されている。１次光学系５は、個々のＬＥＤ３の直ぐ上にそれぞれ、ここでは平凸集束レンズである複数のレンズ６を有しており、これらのレンズにより、放射光の大きなビーム角が集束される。ここでは上記の放射の大部分は、（図示しない）目標面において上記の長手方向に延在するラインの形態の構造体に集束する。このライン上において上記の照明装置による放射照度は、２Ｗ／ｃｍ2よりも格段に大きい。
【００３４】
説明のため、図１にはエッジ側の２つの極端なビーム路７が書き込まれており、これらのビーム路は、集束しまたさらに上側の図示しないラインないしは目標面に当たる。
【００３５】
モジュール１には、（図示しない）冷却体に配置することができる。冷却体は有利には、液体の冷却媒体を出し入れするための接続部を有する。この冷却媒体は、熱を排出するために上記の冷却体を流れる。上記の冷却媒体は、閉じた循環路内に入れることができ、熱交換器を介して別の個所において上記の熱を放出する。この照明装置では、排出すべき熱出力は、１ｋＷよりも格段に大きい範囲内で発生する。
【００３６】
１次光学系１に加えて２次光学系８がモジュール１の前方に設けられ、これによってＬＥＤから目標表面上の上記の構造体に至る可能な限りに大きい出射角の集束がさらに改善される。２次光学系８はモジュール１の前方に離隔されているが、モジュール１と上記の目標面との間に配置される。２次光学系８とモジュール面２との間の間隔は、２次光学系８と目標面との間隔よりも格段に小さくして、可能な限りに早く集束の作用が上記のビーム路に及ぼされるようにする。
【００３７】
２次光学系８にはそれぞれ平行な複数の円柱レンズ９が含まれており、この円柱レンズは、長手方向Ｌに延在しており、横方向Ｗには互いに平行になっており、かつ、１つの面内に配置されている。これにより、少なくともＬＥＤ３の各列の光は、複数の円柱レンズのうちの１つの円柱レンズ１２によって捕捉され、（印刷製品）目標面１０の構造体ないしはラインに集束される。図１には、例示的に２つのＬＥＤからの相異なる光ビームが、それぞれ異なる放射角で書き込まれており、これらの光ビームは、すべての目標面における同じライン状の構造体に集束される。このラインは、ＬＥＤ３の外側の列Ｒの横方向における間隔よりも格段に小さい横方向の幅Ｂを有する。
【００３８】
簡略化された図示されていない本発明の１つの実施形態では、上記の２次光学系を省略することができ、上記の円柱レンズは、１次光学系に直接形成されており、かつ、ＬＥＤ３の個々の列Ｒにわたって延在している。
【００３９】
図１において書き込まれた複数の対称線によって識別できるように、横方向に見ると、ここではＬＥＤ３の中心３ａは、１次光学系５のそのレンズ６の中心６ａに対して側方のずれＶ１を有する。
【００４０】
さらにレンズ６の中心６ａも、ＬＥＤ３の列の中心面ないしは中心３ａも共に、上記の列Ｒの光を集束する円柱レンズ９の光学的な中点面９ａに対し、側方の間隔ないしはずれＶ１＋Ｖ２を横方向に有する。ここでＶ２は、円柱レンズの光学的な中心面９ａに対する１次光学系のレンズ６の中心６ａのずれである。上記のずれＶ１＋Ｖ２は、各列Ｒが、上記の目標面のラインと一致する中央の中心面Ｚを基準にして横方向にずれていればいるほど大きくなる。これに相応して中心面Ｚに対称に配置されている列Ｒ（図１の中央の列Ｒを参照されたい）に対し、ずれは生じない。
【００４１】
図１に書き込んだＬＥＤ３の左側の外側の列Ｒのビーム路と、中心面Ｚに配置される中央の列Ｒのビーム路とを比較することにより、このことが説明される。縁部側のＬＥＤのビーム路が目標面における上記のラインに当たるためには、このビーム路を主放射方向（モジュール面に対する垂直線）に対して所定の角度で集束しなければならない。
【００４２】
側方の各ずれＶ１，Ｖ２により、このビーム路において外側のＬＥＤ３の可能な限りに大きなビーム角の集束が最適化される。
【００４３】
図４に示した変形実施形態では、ＬＥＤ３ないしはレンズ６，９のずれは存在しないため、列Ｒはそれぞれ、目標面上で並んでいるラインに集束される。しかしながら上記の集束の鮮明さに応じて、これらのラインが十分な強度で重なり合うことができ、これによって全体として横方向に良好な均一性を有し得る比較的幅の広いラインが生じ得る。
【００４４】
図５に示した本発明の実施例の場合、２次光学系８は、第１実施例と同様に形成されており、すべての円柱レンズ９は、目標面に対して平行な平面内にある。２次光学系の下では、１次光学系５を有する２つのモジュール１が横方向に並んで配置されており、これらのモジュールはそれぞれ、２次光学系に対し、同じ角度絶対値で逆方向に傾けられている。ここでは中心面Ｚは、２つの円柱レンズ９間に、ないしは、左側のモジュールの内側にある左側のＬＥＤ３と、右側のモジュールの内側にある右側のＬＥＤ３との間に対称に延在している。モジュール１の傾きは、第１実施例と同様に、ＬＥＤ Ｒからなるすべての列が上記の目標面内の同じラインに集束するように定められる。
【００４５】
図６に示した例では、図５に示した例とは異なり、中心面Ｚ左側の第１の２次光学系８と、中心面Ｚ右側の第２の２次光学系８とが設けられている。２つの２次光学系８は、１次光学系５と同様に逆方向に傾けて配置されており、これによってＬＥＤ列Ｒの光が、同じラインに、同時に可能な限りに大きなビーム角で有利に集束するようにする。ここでも互いに対応する１次光学系５および２次光学系はそれぞれ互いに平行に延在しているが、最適化および要求に応じてここでは傾けた配置を行うことも可能である。
【００４６】
図７に示した実施例では、第１実施例とは異なり、付加的な反射器１１がＬＥＤ３の側面に隣接して配置されている。これにより、極めて大きな角度で放射された光も、有効なビーム路に曲げられる。ここでは複数の反射器１１はプリズム体として、モジュール１の長手方向にわたって延在しており、その反射性の側壁は凹に曲げられて成形されている。
【００４７】
ここでは、基本的にWO 2012/031703 A1に記載された方法にしたがい、オープンモールドにおいてＣＯＢモジュールをシリコーンによってコーティングすることにより、上記の１次光学系を作製している。上記の２次光学系は、類似の方法にしたがって作製され、ここではＣＯＢモジュールの代わりに、透明の平坦な基板１０をＵＶ耐性のシリコーンによってコーティングして、光学的に有効な構造体９（円柱レンズ）を形成している。
【００４８】
ここで説明している実施例の照明装置は、ここではオフセット枚葉紙印刷機である印刷機械における塗料ないしはインキをＵＶ乾燥するために使用される。長手方向におけるこの照明装置の長さは一般的に１メートルより大であり、この例では１．６メートルであり、これは印刷製品の枚葉紙の幅に相当する。このような長さを実現するため、一般的にはそれぞれ複数のモジュール１および２次光学系８を上記の長手方向に相前後して配置する。
【００４９】
上記の照明装置の、上で説明したコンポーネントは、設置スペースについて最適化された（図示しない）ケーシング内に収容される。
【００５０】
上記の目標面における長手方向についての放射強度は、ここでは１ｃｍ当たり約１０ワットである。上記の光の大部分は、４７０ｎｍ未満の波長領域内にある。
【００５１】
極めて大きな光学的出力を有するＬＥＤ照明装置を作製するためには、０．１〜２００ｍｍ2の、一般的には１〜２ｍｍ2のサイズのＬＥＤをチップオンボード法（ＣＯＢ）で形成する。その際には複数のＬＥＤを、一般的に４〜２００個のチップを、５〜５０ｃｍ2のオーダの面積を有する共通の１つの基板上にアセンブルして１つのモジュールにする。ＬＥＤを取り付けた複数のモジュールを互いに接して並べることにより、上記の所望のランプサイズが形成される。
【図１】
0005855314.tif 000002
【図２】
0005855314.tif 000003
【図３】
0005855314.tif 000004
【図４】
0005855314.tif 000005
【図５】
0005855314.tif 000006
【図６】
0005855314.tif 000007
【図７】
0005855314.tif 000008